(57)【要約】【課題】可動天板に擦り傷が付きにくく、様々な用途に応じた載置面積に引出して使用することができる物品載置天板を提供する。【解決手段】デスクトップ型パソコンＡやノート型パソコンＢを、物品載置天板３を構成する支持天板４及び可動天板５の上面に突出又は露出する支持部７…で支持して、可動天板５を、支持天板４又は受け板６の前端側よりも外側に突出される右側斜め前方の前進位置に水平移動させ、マウスＡｄを載置又は操作するか、所望する作業を行う等の様々な用途に応じた載置面積に引出して使用する。不要時に於いて、可動天板５を、支持天板４又は受け板６の前端側よりも内側に収納される左側斜め後方の後退位置に水平移動させ、支持天板４又は受け板６の前端側縁部よりも内側に収納する。【選択図】  図１５
2006087448.tif 000002
【特許請求の範囲】
【請求項１】
受け板上面に取り付けた可動天板を、該受け板の前端側よりも外側に突出される前進方向と、該受け板の前端側よりも内側に収納される後退方向とに水平移動可能に設け、
上記受け板上面に突出する支持部を、上記可動天板の上面に形成した開口部に露出して、該可動天板に載置される物品底面に対して接触可能に設け、
上記受け板上面に固定した支持部と、上記可動天板に形成した開口部とを、該可動天板のスライド方向と略平行する方向に向けて移動可能に係合した
物品載置天板。
【請求項２】
支持天板及び可動天板を、該各天板が支持される受け板上面に対して略同一平面となる高さに取り付け、
上記可動天板を、上記支持天板の前端側よりも外側に突出される前進方向と、該支持天板の前端側よりも内側に収納される後退方向とに水平移動可能に設け、
上記受け板上面に突出する支持部を、上記可動天板の上面に形成した開口部に露出して、該可動天板に載置される物品底面に対して接触可能に設け、
上記受け板上面に固定した支持部と、上記可動天板に形成した開口部とを、該可動天板のスライド方向と略平行する方向に向けて移動可能に係合した
物品載置天板。
【請求項３】
上記支持部を、上記可動天板の上面に形成した開口部よりも上方に突出する状態に設けた
請求項１又は２記載の物品載置天板。
【請求項４】
上記支持部を、上記可動天板及び支持天板の上面と略同一となる高さに設けた
請求項１又は２記載の物品載置天板。
【請求項５】
上記支持部を、上記物品が安定した姿勢に支持される間隔に隔てて複数設けた
請求項１又は２記載の物品載置天板。
【請求項６】
上記可動天板を、上記受け板及び支持天板の何れか一方に対して前方又は斜め前方に向けて水平移動可能に設けた
請求項１又は２記載の物品載置天板。
【請求項７】
上記可動天板を所望のスライド位置に移動規制する位置規制手段を、上記支持天板と可動天板との間に設けた
請求項１又は２記載の物品載置天板。
【発明の詳細な説明】
【技術分野】
【０００１】
この発明は、例えばデスクトップ型パソコンやノート型パソコン等のパーソナル・コンピューター及びディスプレイ、テレビ（モニター）、電話、ファックス等の家電製品、或いは、調理器や調理器具、その他の台所用品、事務用品、勉強道具等の物品を載置するときに用いられる物品載置天板に関する。
【背景技術】
【０００２】
従来、上述例の物品を載置する特許文献１の机等の天板構造は、摺動天板Ｂ，Ｂを、固定天板Ａ上面に設けた嵌合溝３に摺動可能に嵌装して、固定天板Ａの縁部から外方に進出退行可能に設けている。使用時において、パーソナル・コンピューターを構成するディスプレイやパソコン本体等の重い物品を固定天板Ａ上に直接載置し、キーボードやマウス等の軽い物品を摺動天板Ｂ，Ｂ上に載置するが、固定天板Ａ上面に物品の擦り傷が付くか、物品の載置跡が残りやすく、商品価値が損なわれる。また、摺動天板Ｂ上に物品が載置されると、重量による抵抗が大きくなるため、摺動天板Ｂを進出又は退行させることができず、物品を載置するのに利用することが難しくなる。且つ、摺動天板Ｂ，Ｂを、固定天板Ａの両側縁部よりも外方に突出するので、例えば家具や壁等に近接して設置することができず、摺動天板Ｂ，Ｂの突出寸法を含んだ設置スペースを確保しなければならない。
【０００３】
【特許文献１】実開昭６２−１６４８４１号公報
【発明の開示】
【発明が解決しようとする課題】
【０００４】
この発明は上記問題に鑑み、物品を、可動天板上面に露出する支持部で支持して、可動天板を、受け板又は支持天板の前端側よりも外側に突出される方向に水平移動することにより、可動天板に擦り傷が付きにくく、様々な用途に応じた載置面積に引出して使用することができる物品載置天板の提供を目的とする。
【課題を解決するための手段】
【０００５】
請求項１に記載した発明の物品載置天板は、受け板上面に取り付けた可動天板を、該受け板の前端側よりも外側に突出される前進方向と、該受け板の前端側よりも内側に収納される後退方向とに水平移動可能に設け、上記受け板上面に突出する支持部を、上記可動天板の上面に形成した開口部に露出して、該可動天板に載置される物品底面に対して接触可能に設け、上記受け板上面に固定した支持部と、上記可動天板に形成した開口部とを、該可動天板のスライド方向と略平行する方向に向けて移動可能に係合したことを特徴とする。
【０００６】
請求項２に記載した発明の物品載置天板は、支持天板及び可動天板を、該各天板が支持される受け板上面に対して略同一平面となる高さに取り付け、上記可動天板を、上記支持天板の前端側よりも外側に突出される前進方向と、該支持天板の前端側よりも内側に収納される後退方向とに水平移動可能に設け、上記受け板上面に突出する支持部を、上記可動天板の上面に形成した開口部に露出して、該可動天板に載置される物品底面に対して接触可能に設け、上記受け板上面に固定した支持部と、上記可動天板に形成した開口部とを、該可動天板のスライド方向と略平行する方向に向けて移動可能に係合したことを特徴とする。
【０００７】
上述の物品は、例えばデスクトップ型パソコンやノート型パソコン等のパーソナル・コンピューター及びディスプレイ、プリンター、イメージ・スキャナ、ＣＤ−ＲＯＭドライブ、テレビ（モニター）、電話、ファックス、或いは、その他の家電製品、調理器、調理器具、台所用品、事務用品、勉強道具等で構成することができる。また、物品載置天板は、例えば集成材や合板、木、プラスチック、ガラス、金属等の単一又は複合した材質で構成することができる。また、支持部は、例えばスライド方向から見て略Ｔ字状断面やＩ字状断面に形成するか、軌条部と係止部とを略Ｔ字状に組み合わせるか、軌条部と係止部とを受け板上に一体的に形成する等して構成することができる。また、物品載置天板を、例えば机や台、テーブル等の所望する場所に直接載置するか、机本体の枠体に架設する等して使用することもできる。また、可動天板の開口部は、例えば溝部や孔部等で構成することができる。
【０００８】
つまり、例えばデスクトップ型パソコンやノート型パソコン等の物品を、物品載置天板を構成する可動天板上面に露出する支持部で支持し、可動天板を、受け板又は支持天板の前端側よりも外側に突出される方向（前方又は斜め前方）に水平移動させ、その可動天板の前端側上面部を、例えば所望する物品を載置又は操作するか、所望する作業を行ったりするのに利用する。不要時において、可動天板を、受け板又は支持天板の前端側よりも内側に収納される方向（後方又は斜め後方）に水平移動させ、受け板又は支持天板の前端側縁部よりも内側に収納する。
【０００９】
請求項３に記載した発明の物品載置天板は、請求項１又は２に記載の構成と併せて、上記支持部を、上記可動天板の上面に形成した開口部よりも上方に突出する状態に設けたことを特徴とする。つまり、物品を、可動天板上面に突出する支持部に載置して、可動天板上面に対して離間又は浮いた状態に支持する。
【００１０】
請求項４に記載した発明の物品載置天板は、請求項１又は２に記載の構成と併せて、上記支持部を、上記可動天板及び支持天板の上面と略同一となる高さに設けたことを特徴とする。つまり、可動天板及び支持天板、支持部の上面が略フラットであるため、例えばプラスチックやガラス、金属等の単一又は複合した材質で構成されるトップ部材を載置することができる。なお、トップ部材は、例えば透光性を有する材質、不透明な材質等で構成することができる。また、柔軟性を有するシート等のトップ部材を載置することもできる。
【００１１】
請求項５に記載した発明の物品載置天板は、請求項１又は２に記載の構成と併せて、上記支持部を、上記物品が安定した姿勢に支持される間隔に隔てて複数設けたことを特徴とする。つまり、様々なサイズの物品を安定した姿勢に支持し、物品の直接的な接触を回避させる。
【００１２】
請求項６に記載した発明の物品載置天板は、請求項１又は２に記載の構成と併せて、上記可動天板を、上記受け板及び支持天板の何れか一方に対して前方又は斜め前方に向けて水平移動可能に設けたことを特徴とする。つまり、可動天板のスライド操作が妨げられず、所望する物品を載置又は操作するか、所望する作業を行う等の様々な用途に適した方向に引出して使用する。
【００１３】
請求項７に記載した発明の物品載置天板は、請求項１又は２に記載の構成と併せて、上記可動天板を所望のスライド位置に移動規制する位置規制手段を、上記支持天板と可動天板との間に設けたことを特徴とする。つまり、前進位置及び後退位置の所望する位置に規制するか、所望する複数の位置に段階的に位置規制する。その位置規制手段は、例えば規制部材、案内孔、ネジ、ナット等の構造と、凹部、係止ピン、ケース、コイルスプリング等の構造とで構成することができる。或いは、可動天板及び受け板の対向面間に生じる接触抵抗で所望するスライド位置に位置規制するか、バネや合成ゴム等の抵抗付与部材の接触抵抗を付与するか、マグネットで吸着するか、凹凸部（歯面）と係止爪とを係止する等して位置規制する。
【発明の効果】
【００１４】
この発明によれば、物品を、可動天板上面に露出する支持部で支持して、可動天板を、受け板又は支持天板の前端側よりも外側に突出される方向に水平移動するので、可動天板を手前側に引出すとき、物品を天板上から取り除くか、他の場所に移動させる等の手間及び作業が不要であり、その可動天板の前端側上面部を、例えば所望する物品を載置又は操作するか、所望する作業を行う等の様々な用途に応じた載置面積に引出して使用することができる。且つ、可動天板を斜め前方に引出して使用すれば、支持天板の前部空間が狭くても、可動天板のスライド操作が妨げられず、例えば家具や壁等の障害物が近接するような場所にも設置することができる。
【００１５】
また、物品底面と可動天板との全面的な接触が回避されるので、可動天板に擦り傷が付きにくく、綺麗な状態のまま長期間使用することができる。また、物品底面と可動天板との接触面積及び水平移動時に付与される接触抵抗が小さく、物品の向き及び位置が変位するのを防止することができると共に、可動天板のスライド操作が楽々行える。
【００１６】
また、可動天板を、受け板又は支持天板の前端側縁部よりも内側に収納するので、不要時に於いて、可動天板が邪魔にならず、設置スペースが小さくて済むため、物品載置天板の設置場所が限定されず、物品載置天板を設置するのに必要な最小限のスペースがあれば、何処でも使用することができ、省スペース化及び小型化が図れる。
【発明を実施するための最良の形態】
【００１７】
この発明は、可動天板に擦り傷が付きにくく、様々な用途に応じた載置面積に引出して使用することができると共に、省スペース化及び小型化が図れるという目的を、物品を、可動天板上面に露出する支持部で支持して、可動天板を、受け板又は支持天板の前端側よりも外側に突出される方向に水平移動可能に設けることで達成できる。
【実施例】
【００１８】
この発明の一実施例を以下図面に基づいて詳述する。  
図面は、物品の一例であるデスクトップ型パソコンやノート型パソコンのようなパーソナル・コンピューターを載置するときに使用される第１実施例の物品載置天板を示し、図１乃至図１０に於いて、この物品載置天板３は、例えばデスクトップ型パソコンＡを構成するディスプレイＡａやパソコン本体Ａｂ、キーボードＡｃ、マウスＡｄ等の物品が載置される大きさ及び形状に形成され、例えば机や台、テーブル等の所望する場所に直接載置するか、後述する机本体２を構成する左右一対の下側枠体２ａ，２ａの略中段部に架設される支持天板４と、その支持天板４を構成する天板４ａ，４ｂの対向斜辺部間に対して右側斜め前方に向けてスライド可能に嵌め込まれ、支持天板４と略同一高さ及び略同一平面となるように取り付けられる可動天板５とで構成される。
【００１９】
上述の机本体２は、図８、図９、図１０にも示すように、天板３が略水平に架設される間隔に隔てて立設した左右一対の下側枠体２ａ，２ａと、下側枠体２ａ，２ａの上端部間に架設される略上下逆Ｕ字状の上側枠体２ｂとで構成され、所望する方向（例えば略３６０度）に水平回動自在なストッパー機能付きキャスター２ｃ…を、下側枠体２ａ，２ａの下端側前後部に取り付けて、所望する場所に走行移動可能に設けている。また、キャスター２ｃを取り付けず、机本体２を所望する場所に設置することもできる。
【００２０】
且つ、上側枠体２ｂの両端部に形成した枠体２ｄ，２ｄを、下側枠体２ａ，２ａの中央部に立設した略中空断面形状の枠体２ｅ，２ｅに対して上下動可能に挿入し、枠体２ｅ，２ｅに取り付けた固定部材２ｉを、例えば枠体２ｄの挿入側端部全長に対して所定間隔に隔てて形成した孔部又は凹部に係止するか、枠体２ｄの挿入側端部に対して圧接する等して、所望する上下高さに伸縮調節する。また、枠体２ｄを、上側枠体２ｂの後側下方に向けて湾曲し、枠体２ｅを、下側枠体２ａの後端側に立設することもできる。
【００２１】
且つ、枠体２ｆを、下側枠体２ａ，２ａの下端側前後部間に水平架設し、枠体２ｇを、下側枠体２ａ，２ａの上端側対向面間に水平架設し、枠体２ｈを、枠体２ｇ，２ｇの前後端部間に水平架設し、下側枠体２ａ及び枠体２ｆ，２ｇ，２ｈを、例えばビスやボルト、釘等の固定部材（図示省略）で一体的に固定（又は溶接）している。なお、枠体２ｆ，２ｇ，２ｈは、略同一長さに形成している。また、パンチング加工又は未加工の棚板を、下側枠体２ａ，２ａの下端側に架設してもよい。
【００２２】
前述の物品載置天板３は、図１、図２、図３にも示すように、上述の支持天板４及び可動天板５を、これら支持天板４及び可動天板５を一体的に組み合わせてなる１枚分の天板と略対応する大きさ及び形状に形成した受け板６上に載置して略水平に支持すると共に、略同一となる厚みに形成した支持天板４及び可動天板５を、受け板６上面に対して略同一高さ及び略同一平面となるように取り付けている。また、支持天板４及び可動天板５、受け板６を一体的に形成してもよい。
【００２３】
上述の支持天板４は、平面から見て面積の大きい略三角形の天板４ａを受け板６の前側左隅部上面に設け、その天板４ａよりも面積の小さい略三角形の天板４ｂを受け板６の後側右隅部上面に設け、マウスＡｄの載置や操作等が可能な幅に形成した平面から見て略矩形の可動天板５を、受け板６の前側左隅部上面と後側右隅部上面とに設けた天板４ａ，４ｂの対向斜辺部間に嵌め込み、可動天板５を、天板４ａ，４ｂの対向斜辺部に沿って右側斜め前方に向けて水平移動可能に設けている。
【００２４】
前述の可動天板５は、天板４ａ，４ｂの対向斜辺部間に対して嵌め込み可能な幅に形成され、後述する略Ｔ字状断面の支持部７が挿入許容される溝部５ａを、可動天板５の後端側平面部に沿ってスライド方向と略平行して形成すると共に、そのスライド方向と略直行する方向（幅方向）に対して所定間隔に隔てて複数配列している。且つ、可動天板５全体をスライド方向に引出し操作するための凹状（又は凸状）の操作部５ｂを、可動天板５の下面側前端部に形成している。また、溝部５ａは、可動天板５の水平移動量と略対応する長さに形成している。
【００２５】
前述の受け板６は、支持天板４及び可動天板５を一体的に組み合わせてなる一枚分の天板と略対応する大きさ及び形状に形成され、机本体２を構成する枠体２ｇ，２ｇ及び枠体２ｈ，２ｈの上面側に略水平載置して、例えばビスやボルト、釘、止め金等の固定部材で固定する。
【００２６】
前述の支持部７は、図４、図５にも示すように、天板４ａ，４ｂの対向斜辺部間に露出される受け板６の後側左隅部上面に沿ってスライド方向と略平行して形成すると共に、そのスライド方向と略直行する方向（幅方向）に対して所定間隔に隔てて複数配列している。実施例では、支持部７を、受け板６上面に対して一体的に形成しているが、例えばボルト及びナット、ネジ、釘、接着剤等の固定手段で一体的に固定してもよい。
【００２７】
且つ、受け板６上面に形成した軌条部７ａを、可動天板５の溝部５ａよりも上方に突出する高さに形成し、溝部５ａの両側縁部に係止される幅に形成した係止部７ｂを軌条部７ａ上端に形成している。また、支持部７（又は係止部７ｂ）を、天板４ａ，４ｂの斜辺側上面部及び天板４ｂの後側上面部にも形成している。また、天板４ｂの後側上面部に形成される支持部７…は、可動天板５のスライド方向と略直交する方向（幅方向）に対して所定間隔に隔てて複数配列している。
【００２８】
つまり、受け板６上面に形成した支持部７，７を、可動天板５に形成した溝部５ａ，５ａの両側内縁部に係止し、天板４ａ，４ｂの斜辺側上面部に形成した支持部７，７を、可動天板５の両側外縁部に係止して、スライド操作時において、可動天板５がガタ付くか、浮き上がるの防止すると共に、支持天板４又は受け板６の何れか一方の前端側縁部よりも外側に突出される右側斜め前方の前進位置と、天板４ａ，４ｂの対向斜辺部間に収納されると共に、支持天板４又は受け板６の何れか一方の前端側縁部よりも内側に収納される左側斜め後方の後退位置とを結ぶスライド方向に向けて水平移動可能に取り付けている。
【００２９】
また、ディスプレイＡａやパソコン本体Ａｂ等の物品を、支持天板４及び可動天板５の上面に突出する支持部７…上に載置して、物品を安定した姿勢に支持すると共に、支持天板４及び可動天板５の上面に対して離間又は浮いた状態に支持し、物品の直接的な接触を回避させる。
【００３０】
また、前述の支持天板４及び可動天板５と略同一の材質により形成した予備天板１１を、机本体２を構成する上側枠体２ｂの上端側中央部に略水平載置して、例えばビスやボルト、釘、止め金等の固定部材で固定する。
【００３１】
上述の可動天板５を、所望のスライド位置に規制する位置規制方法として、例えば図６に示すように、可動天板５下面に固定した接触抵抗の小さい規制部材１２を、可動天板５のスライド方向と略平行して受け板６下面に形成した案内孔１３に対して水平移動可能に挿入している。つまり、規制部材１２が案内孔１３前端に当接すると、支持天板４の右側斜め前方に突出する前進位置に可動天板５が規制され、規制部材１２が案内孔１３後端に当接すると、支持天板４の天板４ａ，４ｂの対向斜辺部間に収納される後退位置に可動天板５が規制される。
【００３２】
また、可動天板５のスライド位置を段階的に規制する他の位置規制方法として、例えば図７に示すように、可動天板５下面に沿ってスライド方向に所定間隔に隔てて形成した複数の凹部２２…に係止される略半球状（又は略球状）の係止ピン２３を、受け板６に埋設したケース２４に収容保持すると共に、係止ピン２３を、ケース２４内に装填したコイルスプリング２５の復元力により、可動天板５に形成した所望する位置の凹部２２…に係止して、可動天板５を、所望するスライド位置に段階的に位置規制することもできる。また、凹部２２を受け板６側に設け、係止ピン２３を可動天板５側に設けもよい。
【００３３】
上述の凹部２２及び係止ピン２３に代わるその他の位置規制手段として、例えば可動天板５及び受け板６の対向面間に生じる接触抵抗で所望するスライド位置に位置規制することもできる。また、バネや合成ゴム等の抵抗付与部材の接触抵抗を付与するか、マグネットで吸着するか、凹凸部（歯面）と係止爪とを係止する等して位置規制することもできる。
【００３４】
且つ、支持天板４及び可動天板５、予備天板１１は、例えば集成材や合板、木、金属、プラスチック等の材質により平面から見て略矩形又は略正方形となる形状に形成され、デスクトップ型パソコンＡを構成するディスプレイＡａやパソコン本体Ａを載置するのに適した横幅及び奥行き、厚み、構造に形成している。
【００３５】
また、予備天板１１は、ディスプレイＡａやパソコン本体Ａｂ、キーボードＡｃ、マウスＡｄを除く、その他の物品、例えばプリンターやイメージ・スキャナ、ＣＤ−ＲＯＭドライブ、その他の家電製品、調理器、調理器具、台所用品、事務用品、勉強道具等を載置するのに利用することができる。
【００３６】
図示実施例は上記の如く構成するものにして、以下、机本体２に架設された物品載置天板３の取り扱い方法を説明する。
【００３７】
先ず、図１、図３、図８にも示すように、デスクトップ型パソコンＡを構成するディスプレイＡａやパソコン本体Ａｂを、物品載置天板３を構成する支持天板４及び可動天板５の上面に突出する支持部７…上に載置して離間又は浮いた状態に支持したまま、可動天板５を、支持天板４又は受け板６の前端側よりも外側に突出される右側斜め前方の前進位置（手前側）に水平移動させ、支持天板４及び可動天板５の略同一平面上に載置されたキーボードＡｃを操作するか、支持天板４の右側斜め前方に突出する可動天板５の前端側上面部に載置されたマウスＡｄを操作するので、マウスＡｄの操作がスムースに行えると共に、机本体２又は物品載置天板３を設置するのに必要な最小限のスペースであっても、マウスＡｄの載置や操作等に必要なスペースを確実に確保することができる。
【００３８】
次に、デスクトップ型パソコンＡの操作を終了する場合、図２、図３にも示すように、可動天板５を、支持天板４又は受け板６の前端側よりも内側に収納される左側斜め後方の後退位置に水平移動させ、天板４ａ，４ｂの対向斜辺部間に収納すると共に、支持天板４又は受け板６の前端側よりも内側に後退させた状態に収納する。
【００３９】
また、キーボードＡｃやマウスＡｄに代わる入力装置の他の例として、例えばテンキー・パッドやイメージ・スキャナ、タブレット等を載置することもできる。
【００４０】
以上のように、デスクトップ型パソコンＡのディスプレイＡａやパソコン本体Ａｂを、物品載置天板３を構成する支持天板４及び可動天板５の上面に突出する支持部７…上に載置して離間又は浮いた状態に支持したまま、可動天板５を、支持天板４又は受け板６の前端側よりも外側に突出される右側斜め前方に水平移動するので、可動天板５を手前側に引出すとき、ディスプレイＡａやパソコン本体Ａｂを支持天板４及び可動天板５上から取り除くか、他の場所に移動させる等の手間及び作業が不要であり、その引出された可動天板５の前端側上面部を、マウスＡｄを載置又は操作するか、所望する作業を行う等の様々な用途に応じた載置面積に引出して使用することができる。
【００４１】
また、可動天板５を斜め前方に引出して使用すれば、支持天板４の前部空間が狭くても、可動天板５のスライド操作が妨げられず、例えば家具や壁等の障害物が近接するような場所にも設置することができる。
【００４２】
また、デスクトップ型パソコンＡのディスプレイＡａやパソコン本体Ａｂと、支持天板４及び可動天板５との直接的又は全面的な接触が回避されるので、支持天板４及び可動天板５の上面に擦り傷が付きにくく、綺麗な状態のまま長期間使用することができる。また、ディスプレイＡａやパソコン本体Ａｂが可動天板４に接触することがなく、可動天板４との接触面積及び水平移動時に付与される接触抵抗が小さく、可動天板４のスライド操作が利用者の手で楽々行える。
【００４３】
また、可動天板５を、天板４ａ，４ｂの対向斜辺部間に収納される位置に後退させ、支持天板４又は受け板６の前端側縁部よりも内側に収納するので、不要時に於いて、可動天板５が邪魔にならず、設置スペースが小さくて済むため、机本体２又は物品載置天板３の設置場所が限定されず、机本体２又は物品載置天板３を設置するのに必要な最小限の設置スペースがあれば、何処でも使用することができ、省スペース化及び小型化が図れる。
【００４４】
また、例えば鍋やフライパン等の調理器具を、支持天板４及び可動天板５の上面よりも上方に突出する支持部７…上に載置することもでき、支持天板４及び可動天板５の表面が熱で焼け焦げるか、変形が生じる等の問題が起きるのを防ぐことができる。
【００４５】
また、上記の取り付け構造を利用すれば、図１１に示すように、受け板６と略対応する大きさ及び形状に形成した可動天板５全体を前後方向(手前側前後方向)に向けて水平移動可能に設けるか、図３に示すような幅狭形状の可動天板５を前後方向に向けて水平移動可能に設けることもできる。
【００４６】
また、上記又は下記の取り付け構造を利用すれば、図１２に示すように、受け板６と略対応する大きさ及び形状に形成した可動天板５全体を左側斜め前方（又は右側斜め前方）に向けて水平移動可能に設けることもできる。なお、前記実施例と略同一構成の部分は同一の符号を記してその詳細な説明を省略する。
【００４７】
また、図１３、図１４は、可動天板５の他の取り付け構造を示し、受け板６上面に架設した略断面円形の支持部１７…を、可動天板５上面に形成した略断面半円形の溝部１８…に係合し、支持部１７の下面側前後端部に垂設した軸部１７ａ，１７ｂを、溝部１８の底面側前後端部に形成した長孔１８ａ，１８ｂに挿入し、受け板６上面に対してネジ１９…で一体的に固定するので、可動天板５を、支持天板４又は受け板６の右側斜め前方に水平移動可能に取り付けることができる。
【００４８】
且つ、デスクトップ型パソコンＡのディスプレイＡａやパソコン本体Ａｂを、支持天板４及び可動天板５の上面に突出する支持部１７…上に載置したまま、可動天板５を、支持天板４の右側斜め前方に向けて水平移動移動させるので、叙述の実施例と略同等の作用及び効果を奏することができる。
【００４９】
図１５、図１６は、ノート型パソコンＢを載置するのに適した第２実施例の物品載置天板３を示し、受け板６上面に突出する支持部７…を、可動天板５上面に形成した開口部５ａ…に露出して、可動天板５に載置されるノート型パソコンＢ底面に対して接触可能に設けると共に、支持天板４及び可動天板５の上面と略同一又は略フラットとなる高さに設けている。
【００５０】
且つ、受け板６上面に形成した支持部７の係止部７ｂを、可動天板５に形成した溝部５ａの両側内縁段部に係止し、支持天板４の天板４ａ，４ｂの対向縁部を、可動天板５の両側外縁段部に係止してスライド方向に向けて水平移動可能に設けている。且つ、可動天板５下面に固定した規制部材１２を、受け板６下面に形成した案内孔１３に水平移動可能に挿入している。
【００５１】
つまり、物品載置天板３を構成する支持天板４及び可動天板５、支持部７…の上面全体が略フラットであるため、図１７に示すように、ノート型パソコンＢを、所望の向き及び位置に安定した姿勢に載置することができ、操作時において、ディスプレイＢａの画面が揺れたり、キーボードＢｃを操作するとき、パソコン本体Ｂｂがガタ付いたり、向きや位置が変位しにくく、ノート型パソコンＢを使用するのに最適である。且つ、上述の実施例と略同等の作用及び効果を奏することができる。
【００５２】
また、図１８に示すように、ガラストップＣを、物品載置天板３上面に対して略水平に載置することができ、支持天板４及び可動天板５、支持部７…の上面を、例えば傷や汚れ、損傷等から保護することができる。なお、ガラストップＣの代わりに、例えばプラスチックやガラス、金属等の材質で構成されるトップ部材を載置することもできる。
【００５３】
この発明の構成と、上述の実施例との対応において、  
この発明の物品は、実施例のデスクトップ型パソコンＡと、ノート型パソコンＢに対応し、  
以下同様に、  
開口部は、溝部５ａ，１８に対応し、  
位置規制手段は、規制部材１２と、案内孔１３と、支持部１７の軸部１７ａと、溝部１８の長孔１８ａ，１８ｂと、凹部２２と、係止ピン２３と、ケース２４と、コイルスプリング２５とに対応するも、  
この発明は、上述の実施例の構成のみに限定されるものではない。
【００５４】
前述の可動天板５を、支持天板４の右側斜め前方に向けて水平移動可能に設けるか、左右対称に取り付けた一対の可動天板５，５を、支持天板４の左側斜め前方及び右側斜め前方に向けて水平移動可能に設けることもできる。また、可動天板５を、例えばバネや合成ゴム等の弾性体が有する復元力によりスライド方向に対して付勢することもできる。
【図面の簡単な説明】
【００５５】
【図１】第１実施例の物品載置天板の天板引出し状態を示す斜視図。
【図２】可動天板の収納状態を示す斜視図。
【図３】可動天板を斜め前方に移動可能に設けた例を示す平面図。
【図４】可動天板の取り付け構造を示す縦断正面図。
【図５】可動天板の取り付け構造を示す縦断側面図。
【図６】可動天板の位置規制方法を示す断面図。
【図７】可動天板の他の位置規制方法を示す断面図。
【図８】物品載置天板を机本体に取り付けた状態を示す斜視図。
【図９】物品載置天板を机本体に取り付けた状態を示す正面図。
【図１０】物品載置天板を机本体に取り付けた状態を示す側面図。
【図１１】可動天板を前後移動可能に設けた他の例を示す平面図。
【図１２】天板全体を斜め前方に移動可能に設けたその他の例を示す平面図。
【図１３】可動天板の他の取り付け構造を示す縦断側面図。
【図１４】図１３の天板の取り付け構造を示す縦断正面図。
【図１５】第２実施例の物品載置天板の天板引出し状態を示す斜視図。
【図１６】可動天板の取り付け構造を示す縦断正面図。
【図１７】ノート型パソコンを物品載置天板に載置した状態を示す斜視図。
【図１８】ガラストップを物品載置天板に載置した状態を示す斜視図。
【符号の説明】
【００５６】
Ａ…デスクトップ型パソコン
Ｂ…ノート型パソコン
Ａａ，Ｂａ…ディスプレイ
Ａｂ，Ｂｂ…パソコン本体
Ａｃ，Ｂｃ…キーボード
Ａｄ，Ｂｄ…マウス
Ｃ…ガラストップ
２…机本体
３…物品載置天板
４…支持天板
４ａ，４ｂ…天板
５…可動天板
５ａ…溝部
６…受け板
７…支持部
１２…規制部材
１３…案内孔
１７…支持部
１８…溝部
２２…凹部
２３…係止ピン
２４…ケース
２５…コイルスプリング
【図１】
2006087448.tif 000003
【図２】
2006087448.tif 000004
【図３】
2006087448.tif 000005
【図４】
2006087448.tif 000006
【図５】
2006087448.tif 000007
【図６】
2006087448.tif 000008
【図７】
2006087448.tif 000009
【図８】
2006087448.tif 000010
【図９】
2006087448.tif 000011
【図１０】
2006087448.tif 000012
【図１１】
2006087448.tif 000013
【図１２】
2006087448.tif 000014
【図１３】
2006087448.tif 000015
【図１４】
2006087448.tif 000016
【図１５】
2006087448.tif 000017
【図１６】
2006087448.tif 000018
【図１７】
2006087448.tif 000019
【図１８】
2006087448.tif 000020